(57)【要約】【課題】ＡＶ同期処理機能を含まないデコーダ素子を用いた光ディスク再生装置において、映像信号が音声信号に先行した場合に、映像情報の再生処理中にＡＶ同期処理をソフトウェアで達成する。【解決手段】デコーダにより復号された映像信号及び音声信号のそれぞれの時刻情報を比較し、音声信号に対して映像信号が１００ｍｓ以上先行している場合（＃２でＹＥＳ）、ソフトウェア処理により装置全体の制御を司る全体制御部は、ＡＶ同期モードをオンし（＃３）、次に復号処理する画像がＶＯＢＵの先頭の画像か否かを判断する（＃４）。先頭画像の場合、その画像をスロー再生して同期ずれを修正し（＃５）、先頭画像でない場合は通常の再生処理を行う（＃６）。音声信号に対する映像信号の先行が３０ｍｓ以下になると（＃７でＹＥＳ）、ＡＶ同期モードをオフする（＃８）。【選択図】  図４
2004194127.tif 000002
【特許請求の範囲】
【請求項１】
光ディスクに記録されている情報を読み出すための記録情報読み出し手段と、この記録情報読み出し手段により読み出された記録情報を映像信号と音声信号に分離する分離手段と、この分離手段により分離された映像信号に対して所定の復号処理を施す映像信号デコーダと、前記分離手段により分離された音声信号に対して所定の復号処理を施す音声信号デコーダとを備えた光ディスク再生装置において、
再生中の復号処理された映像信号及び音声信号から、それぞれ映像と音声の現在の時刻情報を取得する時刻情報取得手段と、
前記時刻情報取得手段により取得された映像と音声の時刻情報を比較し、映像信号と音声信号とが同期しているか否か、及び映像信号と音声信号とが同期していない場合に、映像信号と音声信号のいずれが先行しているか及びそのずれ時間を判断する同期ずれ判別手段と、
前記同期ずれ判別手段により、映像信号が音声信号よりも略１００ｍｓ（milliseconds）以上先行していると判断されたとき、再生中の復号処理された映像信号のうち、複数画像の映像信号で１纏まりを構成するＶＯＢＵ(Video Object Unit)に含まれる先頭の画像の再生時間を長くして、音声信号に対する映像信号の同期ずれを修正し、映像信号に対して音声信号が先行した場合又は音声信号に対する映像信号の先行が略３０ｍｓ以下になった場合に、音声信号に対する映像信号の同期ずれの修正を停止する同期ずれ修正手段とをさらに備え、
前記同期ずれ修正手段は、
ＶＯＢＵに含まれる先頭の画像の再生時間を長くする際、トップフィールド／ボトムフィールドの垂直同期信号を一回分見送って、次のトップフィールド／ボトムフィールドの垂直同期信号で画像信号をラッチすることにより、１枚の画像を２枚分の表示時間で表示してスロー再生するスロー再生手段を有し、
音声信号に対する映像信号の先行を少しずつ修正するようにしたことを特徴とする光ディスク再生装置。
【請求項２】
光ディスクに記録されている情報を読み出すための記録情報読み出し手段と、この記録情報読み出し手段により読み出された記録情報を映像信号と音声信号に分離する分離手段と、この分離手段により分離された映像信号に対して所定の復号処理を施す映像信号デコーダと、前記分離手段により分離された音声信号に対して所定の復号処理を施す音声信号デコーダとを備えた光ディスク再生装置において、
再生中の復号処理された映像信号及び音声信号から、それぞれ映像と音声の現在の時刻情報を取得し、この映像と音声の時刻情報を比較して、映像信号が音声信号よりも所定時間以上先行していると判断されたとき、再生中の復号処理された映像信号に含まれる所定の画像の再生時間を長くして、音声信号に対する映像信号の先行を修正することを特徴とする光ディスク再生装置。
【請求項３】
前記所定の画像とは、再生中の復号処理された映像信号のうち、複数画像分の映像信号の１纏まりを構成するＶＯＢＵ(Video Object Unit)に含まれる先頭の画像であり、ＶＯＢＵに含まれる先頭の画像の再生時間を長くして、音声信号に対する映像信号の先行を少しずつ修正するようにしたことを特徴とする請求項２に記載の光ディスク再生装置。
【発明の詳細な説明】
【０００１】
【発明の属する技術分野】
本発明は、ＤＶＤ（Digital Versatile Disc）などの光ディスク記録媒体に記録されている映像情報を読み出して再生する光ディスク再生装置に関する。
【０００２】
【従来の技術】
従来より、ビデオカメラで撮影した動画・音声やテレビチューナにより受信したテレビ番組などの映像・音声情報をＤＶＤなどの光ディスクに記録する場合、記録情報量を削減するために、映像信号はＭＰＥＧ（Moving Picture Experts Group）規格に準拠して圧縮（エンコード）され、この圧縮された音声信号が光ディスクに記録されている。また、音声情報は、ＭＰ３（MPEG Audio Layer 3）規格に準拠して圧縮され、この圧縮された音声信号が光ディスクに記録されている。
【０００３】
このような光ディスクから記録情報を読み出す際、映像信号（ビデオ信号）はＭＰＥＧ２規格に準拠して復号（デコード）され、また音声信号（オーディオ信号）はＭＰ３規格に準拠して復号される。これら映像信号と音声信号は、それぞれ別の復号回路（デコーダ素子）によって復号処理されるので、記録情報を再生するには、所定のＡＶ同期信号に基づいて映像信号と音声信号を同期（ＡＶ同期）させつつ出力しなければならない。
【０００４】
このような、ＡＶ同期処理の機能は、ハードウェアによって達成されており、従来の光ディスク再生装置には、映像信号又は音声信号を復号するデコーダ素子（チップ）にＡＶ同期処理機能が組み込まれていた。
【０００５】
また、映像・音声データの編集時に映像信号と音声信号の同期ずれが生じた場合、音声データを映像データに対して相対的にずらして再生できるようにした編集／再生装置が知られている（例えば、特許文献１参照）。
【０００６】
【特許文献１】
特開平１０−３１８７９号公報
【０００７】
【発明が解決しようとする課題】
ところで、近年、ＣＰＵの動作速度の高速化に伴い、従来ハードウェアで処理されていた機能をソフトウェアで達成することにより、ハードウェアの簡略化や低コスト化の実現を図ろうとする傾向にある。これを受けて、光ディスク再生装置の低コスト化の要請から、ＡＶ同期処理機能を含まないデコーダ素子が実用化されつつある。
【０００８】
音声信号が映像信号に対応して同じ時間だけ記録されていれば、上記のようなＡＶ同期処理機能を含まないデコーダ素子を用いて、ＡＶ同期チェックを行わずに再生しても特に画像と音声がずれることはない。ところが、巻戻し／早送り再生等の特殊再生状態から通常再生状態に移行すると、Lip Sync（映像信号と音声信号の同期ずれ）が生じ映像信号が音声信号に対して先行して再生される場合がある。一般的に、映像信号が音声信号よりも若干先行していても、さほど違和感なく映像を楽しむことができる。ところが、映像信号の音声信号に対する先行が１００ｍｓ程度に達すると、明らかに映像と音声が一致していないこと（いわゆる「口パク」状態）が認識され、違和感が生じる。
【０００９】
また、上記特許文献１に示された装置は、編集時に生じたＡＶ同期ずれをハードウェアの追加により解消する装置であり、このようなハードウェア構成では装置の製造コストを低減することができない。さらにまた、一般的に人間の聴覚特性は視覚特性よりも敏感であるので、上記特許文献１に示された装置によって音声信号をずらして再生した場合は、違和感が生じることが多い。
【００１０】
本発明は、このような問題点を解決するためになされたものであり、ＡＶ同期処理機能を含まないデコーダ素子を用いた光ディスク再生装置において、映像信号が音声信号に先行した場合に、映像信号と音声信号の同期ずれの修正処理（ＡＶ同期処理）をソフトウェアで映像信号をスロー再生させることにより達成することを目的としている。
【００１１】
【課題を解決するための手段】
上記目的を達成するため、請求項１の発明は、光ディスクに記録されている情報を読み出すための記録情報読み出し手段と、この記録情報読み出し手段により読み出された記録情報を映像信号と音声信号に分離する分離手段と、この分離手段により分離された映像信号に対して所定の復号処理を施す映像信号デコーダと、分離手段により分離された音声信号に対して所定の復号処理を施す音声信号デコーダとを備えた光ディスク再生装置において、再生中の復号処理された映像信号及び音声信号から、それぞれ映像と音声の現在の時刻情報を取得する時刻情報取得手段と、時刻情報取得手段により取得された映像と音声の時刻情報を比較し、映像信号と音声信号とが同期しているか否か、及び映像信号と音声信号とが同期していない場合に、映像信号と音声信号のいずれが先行しているか及びそのずれ時間を判断する同期ずれ判別手段と、同期ずれ判別手段により、映像信号が音声信号よりも略１００ｍｓ（milliseconds）以上先行していると判断されたとき、再生中の復号処理された映像信号のうち、複数画像の映像信号で１纏まりを構成するＶＯＢＵ(Video Object Unit)に含まれる先頭の画像の再生時間を長くして、音声信号に対する映像信号の同期ずれを修正し、映像信号に対して音声信号が先行した場合又は音声信号に対する映像信号の先行が略３０ｍｓ以下になった場合に、音声信号に対する映像信号の同期ずれの修正を停止する同期ずれ修正手段とをさらに備え、同期ずれ修正手段は、ＶＯＢＵに含まれる先頭の画像の再生時間を長くする際、トップフィールド／ボトムフィールドの垂直同期信号を一回分見送って、次のトップフィールド／ボトムフィールドの垂直同期信号で画像信号をラッチすることにより、１枚の画像を２枚分の表示時間で表示してスロー再生するスロー再生手段を有し、音声信号に対する映像信号の先行を少しずつ修正するようにしたものである。
【００１２】
この構成によれば、音声信号に対する映像信号の先行が、明らかに映像と音声が一致していない「口パク」状態と認識されうる略１００ｍｓ以上に達した場合に、所定画像（コマ）数の画像信号で構成されるＶＯＢＵを単位として、ＶＯＢＵの先頭の映像信号パックの再生時間(表示時間)を同じＶＯＢＵ中の他の映像信号パックの再生時間よりも長くして（スロー再生）、音声信号と映像信号の時間差を徐々に少なくし、最終的に時間差をなくすることができる。その結果、光ディスクに記録されている映像情報を再生しながら、映像信号と音声信号の同期ずれ（Lip Sync）を修正することができる。また、音声信号に対する映像信号の先行が、同期ずれがほとんど認識されなくなる略３０ｍｓ以下になった場合に、同期ずれの修正を停止するので、過剰な同期ずれ修正処理により音声信号が映像信号よりも先行するという不都合の発生を防止することができる。
【００１３】
ＶＯＢＵの先頭画像のスロー再生は以下の方法でなされる。すなわち、再生しようとする画像がＶＯＢＵの先頭画像のとき、垂直同期信号を一回分見送って、表示画像の更新を行わずに、次の垂直同期信号で表示画像を更新して表示する。これにより、先頭の画像が２回表示され該先頭画像のみが１／２倍速で再生されるので、映像信号の先行が少しずつ修正され、再生映像を見ているユーザに違和感を与えることはほとんどない。
【００１４】
さらに、時刻情報取得手段、同期ずれ判別手段及び同期ずれ修正手段は、所定の制御プログラムを記憶したＲＯＭ、制御プログラムに従って所定の演算処理や判別処理を行うＣＰＵ、演算データなどを一時的に記憶するＲＡＭなどで構成することができ、映像信号と音声信号の同期処理機能を含まないデコーダ素子を用いた場合であっても、ソフトウェア処理により映像信号と音声信号の同期処理を行うことができる。
【００１５】
請求項２の発明は、光ディスクに記録されている情報を読み出すための記録情報読み出し手段と、この記録情報読み出し手段により読み出された記録情報を映像信号と音声信号に分離する分離手段と、この分離手段により分離された映像信号に対して所定の復号処理を施す映像信号デコーダと、分離手段により分離された音声信号に対して所定の復号処理を施す音声信号デコーダとを備えた光ディスク再生装置において、再生中の復号処理された映像信号及び音声信号から、それぞれ映像と音声の現在の時刻情報を取得し、この映像と音声の時刻情報を比較して、映像信号が音声信号よりも所定時間以上先行していると判断されたとき、再生中の復号処理された映像信号に含まれる所定の画像の再生時間を長くして、音声信号に対する映像信号の先行を修正するものである。
【００１６】
この構成によれば、音声信号に対して映像信号が所定時間先行している場合に、現在再生中の映像信号に含まれる所定の画像の再生時間を長くして、映像信号に対する音声信号の同期ずれを修正することができる。この機能は、所定の制御プログラムを記憶したＲＯＭ、制御プログラムに従って所定の演算処理や判別処理を行うＣＰＵ、演算データなどを一時的に記憶するＲＡＭなどで構成することができ、映像信号と音声信号の同期処理機能を含まないデコーダ素子を用いた場合であっても、ソフトウェア処理により映像信号と音声信号の同期処理を行うことができる。
【００１７】
請求項３の発明は、請求項２に記載の光ディスク再生装置において、所定の画像とは、再生中の復号処理された映像信号のうち、複数画像分の映像信号の１纏まりを構成するＶＯＢＵ(Video Object Unit)に含まれる先頭の画像であり、ＶＯＢＵに含まれる先頭の画像の再生時間を長くして、音声信号に対する映像信号の先行を少しずつ修正するようにしたものである。
【００１８】
この構成によれば、ＶＯＢＵの先頭映像信号パックの再生時間(表示時間)を同じＶＯＢＵ中の他の映像信号パックの再生時間よりも長くして、音声信号と映像信号の時間差を徐々に少なくし、最終的に時間差をなくすることができる。ここで、ＶＯＢＵの先頭画像を再生するたびに該先頭画像を１コマずつ長く再生するので、音声信号に対する映像信号の先行は少しずつ修正され、再生された映像を見ているユーザに違和感を与えることはほとんどない。
【００１９】
【発明の実施の形態】
以下、本発明の一実施形態について、図面を参照して説明する。本発明は、ＡＶ同期処理機能を含まないデコーダ素子を用いた光ディスク再生装置において、映像信号と音声信号とが同期せず、映像信号が音声信号よりも先行している場合に、ソフトウェアにより映像信号をスロー再生して映像信号と音声信号の同期の修正処理（ＡＶ同期処理）を可能とするものである。
【００２０】
本実施形態による光ディスク再生装置の電気的なブロック構成を図１に示す。光ディスク再生装置１は、ＤＶＤなどの光ディスク７０が所定位置に挿入されているか否かを検知するためのディスク挿入検知部２と、光ディスク７０を所定速度で回転させるためのスピンドルモータ３と、光ディスク７０に記録されているデータを読み取るための光ピックアップ４と、光ピックアップ４を光ディスク７０の半径方向に移動させるための移動モータ５と、光ピックアップ４の半導体レーザ４１を制御するためのレーザ駆動部６と、光ピックアップ４の光検知器４６からの信号を処理するための信号処理部７と、光ピックアップ４の対物レンズ４４の位置を制御するためのサーボ制御部８と、信号処理部７から出力されるデータに所定のデコード処理を施し、映像信号及び音声信号を生成するデコーダ９と、光ディスク再生装置１全体の制御を行う全体制御部１０と、ユーザにより操作され、各種の指示を入力するためのリモコン装置１１と、リモコン装置１１からの信号を受信するリモコン受信部１２と、光ディスク再生装置１の各機能に応じて必要な情報を表示する表示部１３などで構成されている。デコーダ９により生成された映像信号及び音声信号は、必要に応じてアナログ信号に変換された後、モニタ装置５０に出力され、その画面上に映像が再生されると共にスピーカから音声が出力される。
【００２１】
光ピックアップ４は、半導体レーザ４１、コリメータレンズ４２、ビームスプリッタ４３、対物レンズ４４、集光レンズ４５、光検知器４６などで構成されている。半導体レーザ４１は、全体制御部１０から出力される信号に基づいて、レーザ駆動部６によりその発光が制御される。半導体レーザ４１から出力されたレーザ光は、コリメータレンズ４２、ビームスプリッタ４３及び対物レンズ４４を介して光ディスク７０上に集光される。また、光ディスク７０からの反射光は、対物レンズ４４を介してビームスプリッタ４３に入射し、光軸を略９０度曲げられた後、集光レンズ４５により光検知器４６上に集光される。
【００２２】
対物レンズ４４は、レンズホルダ４７に保持されている。レンズホルダ４７の近傍には、磁気作用によりレンズホルダ４７を対物レンズ４４の光軸方向に移動させるためのフォーカシングコイル４８と、磁気作用によりレンズホルダ４７を光ディスク７０の半径方向に移動させるためのトラッキングコイル４９が設けられている。フォーカシングコイル４８及びトラッキングコイル４９は、それぞれサーボ制御部８により制御され、レンズホルダ４７及びその上に保持された対物レンズ４４の位置を微調整する。サーボ制御部８は、信号処理部７から出力される信号をモニタしながら、後述するフォーカシングエラー信号及びトラッキングエラー信号に基づいて対物レンズ４４の位置、すなわちレーザビームの集光位置を調整する。
【００２３】
光検知器４６は、例えば受光面が複数の領域に分割された分割フォトダイオードなどの光電変換素子であり、その受光面の受光領域ごとに、集光される光ディスク７０からの反射光を電気信号に変換して出力する。なお、光ピックアップ４の全体は、リニアモータなどで構成された移動モータ５により、光ディスク７０の半径方向に移動される。
【００２４】
信号処理部７は、光検知器４６から出力される信号から、光ディスク７０に記録されているデータに対応したＲＦ信号と、フォーカシングエラー信号及びトラッキングエラー信号を生成する。ＲＦ信号はデコーダ９に出力され、フォーカシングエラー信号及びトラッキングエラー信号はサーボ制御部８に出力される。デコーダ９は、信号処理部７からのＲＦ信号を映像信号及び音声信号に分離し、所定のデコード処理を施して、モニタ装置が再生可能な映像信号及び音声信号を生成する。
【００２５】
リモコン装置１１は、光ディスク７０に記録されている映像の再生や光ディスク再生装置１に備えられている各種機能の選択などを行う際に、ユーザにより操作されるものであり、各種機能に対応した操作キーが設けられている。操作キーを操作すると、各操作キーに対応したコード信号が赤外線信号で送信される。リモコン受信部１２は、リモコン装置１１からの赤外線信号を受信し、所定の電気信号に変換して全体制御部１０に入力する。
【００２６】
全体制御部１０は、制御プログラムを記憶したＲＯＭ、制御プログラムに従って演算処理を行うＣＰＵ、制御プログラムやデータなどを一時的に記憶するＲＡＭなどで構成されており、リモコン装置１１及びリモコン受信部１２を介して入力されるユーザの指示に従って、光ディスク再生装置１の全体を制御する。
【００２７】
ところで、ＤＶＤなどの光ディスクに映像情報を記録する場合、映像信号及び音声信号は、例えば図２に示すように、映画の１作品などを単位とするＶＯＢＳ(Video Object Set)単位で記録されている。ＶＯＢＳは、複数のＶＯＢ(Video Object)で構成され、各ＶＯＢは、それぞれ複数のセル(Cell)で構成されている。セルは、例えば映画の１シーンの単位であり、１シーンの組み合わせがＶＯＢとなる。
【００２８】
ＤＶＤでは、１つの映画を複数のストーリ展開で見るマルチストーリ機能を備えており、ＶＯＢごとに異なったセルの組み合わせを変えることにより、マルチストーリ機能を利用することができる。マルチストーリ機能とは、あらかじめＤＶＤの中に複数のストーリを記録しておき、再生中に表示されるメニュー画面の中からユーザがストーリ展開を選択しうる機能である。
【００２９】
セルは、さらに複数のＶＯＢＵ(Video Object Unit)により構成されている。ＶＯＢＵは、動画像で０．５秒〜１．０秒程度の単位であり、制御情報データであるナビゲーションパック（ＮＰ）、音声信号パック（ＡＰ）、ＭＰＥＧ２規格に準拠して圧縮された複数画像（コマ）分の（１５〜２０フレーム）の映像信号パック（ＶＰ）及び副映像信号パック（ＳＰ）などで構成されている。
【００３０】
本発明は、ＤＶＤなどの光ディスク特有の映像情報の記録方式に着目し、映像信号が音声信号よりも先行している場合に、全体制御部１０のソフトウェア処理によりデコーダ９を制御し、ＶＯＢＵを単位として映像信号と音声信号の時間差（ＡＶ同期ずれ）を修正するものである。より具体的には、ＶＯＢＵ先頭の映像信号パックの再生時間(表示時間)を同じＶＯＢＵ中の他の映像信号パックの再生時間よりも長くして、音声信号と映像信号の時間差を徐々に少なくし、最終的に時間差をなくするものである。
【００３１】
図３はデコーダ９及び全体制御部１０のブロック構成を示している。デコーダ９は、信号処理部７からのＲＦ信号を映像信号と音声信号部分離するための映像／音声分離部９１と、分離された映像信号を一時的に格納するための映像信号バッファ９２と、分離された音声信号を一時的に格納するための音声信号バッファ９３と、映像信号バッファ９２から出力される１画像（１コマ）ごとの映像信号を順に、ＭＰＥＧ２規格に準じて復号（デコード）するための映像信号デコーダ９４と、音声信号バッファ９３から出力される音声信号を、ＭＰ３規格に準じて復号するための音声信号デコーダ９５などで構成されている。
【００３２】
また、全体制御部１０は、デコーダ９によって復号化された映像信号及び音声信号から、現在再生中の映像及び音声に関する現在の時刻に関する情報（時刻情報）を取得（抽出）する時刻情報取得部１０１と、映像信号の時刻情報と音声信号の時刻情報を比較して、映像信号と音声信号が同期しているか否か、映像信号と音声信号とが同期していない場合に、映像信号と音声信号のいずれが先行しているか及びそのずれ時間を判断するための同期ずれ判別部１０２と、映像信号と音声信号との間に同期ずれが生じている場合に、一定条件の下で同期ずれを修正する同期ずれ修正部１０３などで構成されている。
【００３３】
本実施形態においては、デコーダ９は、ＡＶ同期処理機能を有しないＭＰＥＧデコーダ素子などで構成されており、ＡＶ同期ずれが生じている場合に、全体制御部５０が同期ずれ修正部１０３のソフトウェア処理によってＡＶ同期ずれを修正する。
【００３４】
以下、ＡＶ同期ずれの修正要領について説明する。ＡＶ同期ずれは、上述のように、特殊再生状態から通常再生状態に移行するときに起こる。また、映像信号が音声信号に対して先行する場合のほか、音声信号が映像信号に対して先行する場合もありうる。
【００３５】
周知の残像現象のように、人間の視覚の応答速度は遅く、急激な明るさの変化や高速な画像の変化などには対応できない。視覚特性と聴覚特性を比較すると、聴覚特性の方が敏感である。従って、映像信号と音声信号が同期していない場合に、映像信号を音声信号に同期させるように変化させる方が、音声信号を映像信号に同期させるように変化させるよりも、視聴者はその変化に気付きにくいといえる。
【００３６】
本実施形態では、このような人間の視覚特性及び聴覚特性に基づき、映像信号が音声信号に対して先行している場合であって、かつ、その同期ずれ時間が、明らかに映像と音声が一致していないと認識されうる１００ｍｓ以上に達した場合に、映像信号をスロー再生させることによりＡＶ同期ずれの修正処理を行う。
【００３７】
時刻情報取得部１０１は、現在再生中の画像信号及び映像信号について、それぞれ別々に、それらの映像信号及び音声信号に含まれている時刻情報を読み出す。映像信号と音声信号とが同期している場合は、それぞれ別々に読み出した時刻情報は一致する。ところが、映像信号と音声信号とが同期していない場合は、両者は若干ずれている。そこで、同期ずれ判別部１０２は、時刻情報取得部１０１により取得された現在再生中の映像信号及び音声信号についての時刻情報を比較する。そして、映像信号が音声信号に対して先行した状態で、かつ、その同期ずれ時間が１００ｍｓ以上である場合、同期ずれ修正部１０３に対して、同期ずれ修正処理を行う旨のＡＶ同期モードオン信号を出力する。
【００３８】
同期ずれ修正部１０３は、同期ずれ判別部１０２からＡＶ同期モードオン信号が出力されている場合、ＶＯＢＵの先頭の画像（コマ）についての映像信号パックの再生時間(表示時間)を同じＶＯＢＵ中の他の映像信号パックの再生時間よりも長く再生させるようにして（スロー再生）、音声信号と映像信号の時間差を徐々に少なくする。
【００３９】
ＶＯＢＵの先頭画像のスロー再生は以下の要領でなされる。すなわち、再生しようとする画像がＶＯＢＵの先頭画像のとき、同期ずれ修正部１０３は、映像信号デコーダ９４に垂直同期信号を一回分見送って、表示画像の更新を行わないように指令を出力する。この指令を受けた映像信号デコーダ９４は、最初の垂直同期信号を見送って表示画像の更新を行わず、次の垂直同期信号で表示画像を更新する。これにより、ＶＯＢＵ先頭の画像が２回表示されることになる。この後、ＶＯＢＵの先頭画像以外の画像が、通常の再生処理に従い垂直同期信号に同期させて表示される。このようにすれば、ＶＯＢＵの先頭画像のみが２枚の画像を表示する時間で表示される（１／２倍速で再生される）ので、ＶＯＢＵの先頭画像を表示させるごとに、映像信号の先行が複数回に分けて少しずつ修正され、再生映像を見ているユーザに違和感を与えることはほとんどない。
【００４０】
また、同期ずれ判別部１０２は、音声信号に対する映像信号の先行が３０ｍｓ以下になったか否かを判断する。音声信号に対する映像信号の先行が３０ｍｓ以下の場合、視聴者は映像と音声の同期ずれをほとんど認識することができない。また、映像信号と音声信号の同期ずれがなく、通常の処理を行う場合であっても、１画像の再生時間はせいぜい３０ｍｓ程度である。従って、音声信号に対する映像信号の先行が３０ｍｓ以下になった状態で、さらにＶＯＢＵの先頭画像の再生時間を長くする同期ずれ修正処理を繰り返すと、逆に映像信号に対して音声信号の方が先行してしまう虞がある。そこで、同期ずれ判別部１０２は、音声信号に対する映像信号の先行が３０ｍｓ以下になった場合は、同期ずれ修正部１０３に対して、同期ずれの修正を停止する旨のＡＶ同期モードオフ信号を出力する。
【００４１】
次に、本実施形態における全体制御部５０の同期ずれ修正処理について、図４を参照して説明する。このフローは、ＶＯＢＵに含まれる各画像についての映像信号パックＶＰ（図２参照）を復号処理する際に実行されるものである。
【００４２】
まず、同期ずれ判別部１０２は、ＡＶ同期モードがオンしているか否かを判断する（＃１）。ここで、ＡＶ同期モードオンとは、同期ずれ修正部１０３に対して同期ずれ修正処理を行わせるために、同期ずれ判別部１０２から同期ずれ修正部１０３にＡＶ同期モードオン信号が出力されている状態を意味する。最初、同期ずれ修正処理が行われていない段階では、ＡＶ同期モードオン信号は出力されていないので、同期ずれ判別部１０２は、時刻情報取得部１０１から出力される映像信号の時刻情報と音声信号の時刻情報とを比較し、映像信号の方が１００ｍｓ以上先行しているか否かを判断する（＃２）。
【００４３】
音声信号に対して映像信号の方が１００ｍｓ以上先行している場合（＃２でＹＥＳ）、同期ずれ修正部１０３による同期ずれ修正処理を開始すべく、同期ずれ判別部１０２はＡＶ同期モードオン信号を出力する（＃３）。これにより、同期ずれ修正部１０３は、映像信号と音声信号の同期ずれ修正処理を開始する。
【００４４】
＃１においてＡＶ同期モードオン信号が出力されている場合、又は＃３においてＡＶ同期モードオン信号が出力された場合、同期ずれ修正部１０３は、次に復号処理する画像がＶＯＢＵの先頭の画像か否かを判断する（＃４）。本実施形態では、ＶＯＢＵの先頭の画像の再生時間を長くして映像信号と音声信号のずれを修正するので、＃４においてＹＥＳの場合に、再生時間が通常の再生時間（例えば３０ｍｓ）よりも長くなるようにスロー再生処理を行って、映像信号と音声信号のずれを修正する（＃５）。一方、次に復号処理する画像がＶＯＢＵの先頭の画像でない場合は（＃４でＮＯ）、通常の再生時間（３０ｍｓ）で再生処理を行う（＃６）。なお、＃２で映像信号の方が１００ｍｓ以上先行していない場合（＃２でＮＯ）も、＃６にスキップして、通常の再生処理を行う。
【００４５】
＃５又は＃６で映像信号が再生処理されると、同期ずれ判別部１０２は、音声信号に対する映像信号の先行が３０ｍｓ以下であるか否か又は映像信号に対して音声信号の方が先行しているか否かを判断する（＃７）。上述のように、本実施形態では、音声信号に対する映像信号の先行が３０ｍｓ以下になった場合は、過剰な同期ずれ修正処理による音声信号の先行を防止するために、映像信号と音声信号の同期ずれの修正を停止する。また、映像信号に対して音声信号が先行している場合にも、映像信号と音声信号の同期ずれの修正は行わない。そこで、＃７においてＹＥＳの場合、同期ずれ判別部１０２は、同期ずれ修正部１０３に対してＡＶ同期モードオフ信号を出力し、映像信号と音声信号の同期ずれ修正処理を終了する（＃８）。また、音声信号に対して映像信号が先行し、かつ、その先行が３０ｍｓよりも大きい場合（＃７でＮＯ）、引き続き映像信号と音声信号の同期ずれ修正処理を行う必要があるので、同期ずれ判別部１０２はＡＶ同期モードオン信号を出力したまま、処理を終了する。この後、次の画像について、＃１よりフローを実行する。
【００４６】
なお、上記実施形態では、ＶＯＢＵの先頭の画像に対して、その再生時間が長くなるように同期ずれ修正処理を行うように構成したが、本発明はこれに限定されるものではなく、ＶＯＢＵに含まれるその他の画像、例えば特定の順番の画像や最後の画像に対して同期ずれ修正処理を行うように構成してもよい。また、同期ずれ修正処理を開始する場合のＡＶ同期ずれの判断基準時間を１００ｍｓとしたが、これに限定されるものではなく、１００ｍｓ前後の時間を設定してもよい。同様に、同期ずれ修正処理を終了する場合のＡＶ同期ずれの判断基準時間を３０ｍｓとしたが、これに限定されるものではなく、３０ｍｓ前後の時間を設定してもよい。
【００４７】
【発明の効果】
以上説明したように、請求項１の発明によれば、音声信号に対する映像信号の先行が、明らかに映像と音声が一致していない「口パク」状態と認識されうる１００ｍｓ以上に達した場合に、ＶＯＢＵの先頭の画像のみ再生時間を長くして、音声信号と映像信号の時間差を徐々に少なくすることができる。その結果、映像信号デコーダ及び音声信号デコーダとしてＡＶ同期処理機能を含まない素子を用いた場合であっても、ソフトウェア処理によって、ユーザに違和感を与えることなく映像信号と音声信号の同期ずれを修正することができるようになり、光ディスク再生装置の製造コストを低減することができる。また、映像信号に対して音声信号が先行した場合又は音声信号に対する映像信号の先行がほとんど認識されなくなる３０ｍｓ以下になった場合に、映像信号と音声信号の同期ずれの修正を停止するので、過剰な同期ずれ修正処理により、音声信号が映像信号よりも先行するという不都合の発生を防止することができる。
【００４８】
また、請求項２の発明によれば、音声信号に対して映像信号が所定時間先行している場合に、現在再生中の映像信号に含まれる所定の画像の再生時間を長くして、映像信号と音声信号の同期ずれを修正するので、映像信号デコーダ及び音声信号デコーダとしてＡＶ同期処理機能を含まない素子を用いた場合であっても、ソフトウェア処理によって、映像信号と音声信号の同期ずれを修正することができるようになり、光ディスク再生装置の製造コストを低減することができる。
【００４９】
また、請求項３の発明によれば、ＶＯＢＵの先頭の画像の再生時間を長くして、音声信号と映像信号の時間差を徐々に少なくするので、再生された映像を見ているユーザに違和感を与えることがほとんどなくなる。
【図面の簡単な説明】
【図１】本発明の一実施形態による光ディスク再生装置の電気的ブロック構成図。
【図２】光ディスクに記録されている映像情報の記録状態を示す概念図。
【図３】上記一実施形態におけるデコーダ及び全体制御部のブロック構成図。
【図４】上記一実施形態における同期ずれ修正処理を示すフローチャート。
【符号の説明】
１    光ディスク再生装置
４    光ピックアップ（記録情報読み出し手段）
１０    全体制御部
９１    映像／音声分離部（分離手段）
９４    映像信号デコーダ
９５    音声信号デコーダ
１０１    時刻情報取得部（時刻情報取得手段）
１０２    同期ずれ判別部（同期ずれ判別手段）
１０３    同期ずれ修正部（同期ずれ修正手段）
【図１】
2004194127.tif 000003
【図２】
2004194127.tif 000004
【図３】
2004194127.tif 000005
【図４】
2004194127.tif 000006